(57)【要約】      （修正有）【課題】あごとエラ部分につく余分な脂肪・リンパ液の滞りによる膨らみを解消し、小顔を形成し二重あごを解消し、また就寝中自然に口が開いてしまうのを防止するマスクを提供する。【解決手段】長いマスク状の伸縮性にとんだ、あごの幅に対応する５〜６センチ幅で、あごから頬の下エラ部分そして頬の耳の上位置まで覆う長さのマスク状の布の両端に、２センチ幅の耳に掛けてもかさばらないやわらかい布ひもを耳に掛け回し引っ張って、その両方の端をあごで重ね面ファスナーで止められる長さにして縫い付けたことを特徴とする。【選択図】図１
0003155417.tif 000002
【実用新案登録請求の範囲】
【請求項１】
女性の悩みの二重あごを防止し、また解消するためのもので、長いマスク状の伸縮性にとんだ  ５〜６センチ幅（あごの幅）の長方形の布（あごからほっぺの下あご部分そして耳の上の位置まで覆う長さ）の両端に、２センチ幅の布ひも（耳にかけまわし  あごで締めてマジックテープで止められる長さ）を縫い付けたもの。
装着は、まず  あごの幅の伸縮性にとんだ長いマスク状の部分で、あごからほっぺの下あご部分へそして顔の耳の上の位置まで覆い、続いて  縫い付けた２センチ幅の布ひもを耳にかけ、それを耳の後から下あごにまわし、締め付け度を加減してマジックテープで止める。
これは、あごをリフトアップし、絞り・締め付けることで、二重あごの解消と予防になる。
また、あごの幅の伸縮性にとんだ長いマスク状の布で、あごから顔の耳の上の位置まで覆い、続いて、縫い付けた２センチ幅の布ひもを耳にかけ、それを唇の下で、締め付け度を加減して止めると、二重あごとともに、耳下のあごの付け根ほっぺの下あご部分（よく脂肪が付きリンパ液が滞るところ）を絞り、締め付けができるので、余分な脂肪やリンパ液を締め出し、小顔を形成することができる。
また、このあごを覆う布を、レース状で伸縮性があるおしゃれなものにし、耳にかける布ひもを、おしゃれなリボンにして、下あごで結ぶようにすると、あごのリフトアップと同時に小顔に見せる、おしゃれなアイテムになる。
【考案の詳細な説明】
【技術分野】
【０００１】重力に従って落ちてくる顔の肉は、あごを二重にする。肥満が原因のこともあるが、リンパ液の滞りが原因のこともある。そこで、あごの二重になった部分をリフトアップすることで解決し、また、締め付けることで、余分な脂肪・リンパ液を締め出すことができる。
その形が、二重あご防止マスク・小顔形成マスクである。これは、家でテレビを見る時とか就寝中に充分な時間装着することで、その効果があらわれてくる。また、家事をしている時とか、ちょっと空いた時間に、気軽にマスクを付けるように  装着できるようにも  作りを簡単なものにした。
【背景技術】
【０００２】あごのリフトアップ  となると、複雑な構造の機械とか重装備を連想するが、整形外科の首をリフトアップするような大掛かりにしなくても、布一枚でかなり効果が期待できる。布の伸縮力を利用すれば、機械はいらない。
【考案の開示】
【考案が解決しようとする課題】
【０００３】本考案は、女性の敵である二重あごと顔のむくみ（ほっぺの下部分のふくらみ）をなんとしても解決したくて考案した。原因は肥満もあるが、リンパ液の滞りもある。その他筋肉の衰え緩みもあるだろうが、女性はいつまでも小顔でいたいものだ。そこで緩んで二重になったあごの部分をしっかりとリフトアップする。ふくらんだほっぺの下あご部分を、しっかり絞り、引き締める。それが本考案の  二重あご防止マスク・小顔形成マスクだ。
また、別部門だが、筋肉の衰えにより、就寝中  あごが緩んで口が開いてしまうという事態になった人もいる。口が開いていると口中が渇き、細菌が繁殖しやすくなる。そのような人の就寝中のあごの緩みも解決できる。二重あご・あごの緩みは、男性女性ともにある。
【課題を解決するための手段】
【０００４】機械を使わずあごをリフトアップするには、何かを代用するしかない。そこで、あごをリフトアップするには、耳を使って、滑車の作用を応用すると可能になる。つまり、あごからほっぺの下あご部分そして耳の上の位置まで  ５〜６センチ幅の伸縮性にとんだ布で覆い、それに  ２センチ幅の布ひもを縫い付け、そのひもを耳の後にまわし、ぐっと引っ張るとあごがリフトアップできる。そしてその布ひもを下あごまでまわし、マジックテープで止め固定すると、リフトアップが完成する。
【考案の効果】
【０００５】あごからほっぺの下あご部分そして耳の上の位置まで  ５〜６センチ幅の伸縮性にとんだ布で覆い、それに、２センチ幅の布ひもを縫い付け、その布ひもを耳の後にまわし、ぐっと引っ張り、その布ひもを下あごで止め固定し、あごをリフトアップすることにより、あごに滞っているリンパ液を絞り、二重あごの解消になる。家事をしている時に装着してもよいが、就寝中に装着するとより効果が増す。二重あごの多くが就寝中に作られるからだ。
また耳にまわした布ひもを唇の下にまわし、マジックテープで止め固定すると、ほっぺの下あごの部分（よく脂肪が付きリンパ液が滞るところ）を絞り・締め付けるので、余分な脂肪リンパ液を締め出し、小顔が形成される。
また別部門で、筋肉の衰えから就寝中  口が開いてしまう人も、これを装着することで、口が開くのを予防できる。口が開いていると、口中の渇き・細菌の繁殖・いびき等を引き起こすが、就寝中あごをリフトアップすることで口が開かなくなる。
【考案を実施するための最良の形態】
【０００６】あごからほっぺの下あご部分そして耳の上の位置まで覆う布は、あごの幅  ５〜６センチの幅にして、伸縮性にとみ、レース模様でおしゃれであればなおよく、家事の最中装着していても家族に奇異に思われない。また、それに縫い付けるひもの  ２センチ幅は、唇の下でひもを固定できる幅だ。耳にかけ耳の後にまわしても違和感のないような布が望ましい。
このひもの伸縮性は必要ないが、あごにまわした時・唇の下で止める時、はずれないようにマジックテープは長めにしておくとよい。
【実施例】
【０００７】近年肥満になり、６５キロになって二重あごに悩んでいたが、あごをリフトアップすることで体重は変わらないが、あごのたるみが解消した。あごと首の区別がつかないくらいだったが、横向きになって鏡を見ると、あごと首の区別が付き、あご先が確認できるようになった。
【図面の簡単な説明】
【０００８】
【図１】  二重あご防止・小顔形成マスク  の図  装着方法  １  は、ひもを  あ  ご  で固定した  正面図・側面図  装着方法  ２  は、ひもを  唇の下  で固定した  正面図・側面図
【図面の符号の説明】
【０００９】  ａ  布ひもの先に付ける固定するためのマジックテープ
【図１】
0003155417.tif 000003
【手続補正書】
【提出日】平成21年6月10日(2009.6.10)
【手続補正１】
【補正対象書類名】実用新案登録請求の範囲
【補正対象項目名】全文
【補正方法】追加
【補正の内容】
【実用新案登録請求の範囲】
【請求項１】
女性の悩みの二重あごを防止し、また解消するためのもので、長いマスク状の伸縮性にとんだ  ５〜６センチ幅（あごの幅）の長方形の布（あごからほっぺの下あご部分そして耳の上の位置まで覆う長さ）の両端に、２センチ幅の耳にかけてもかさばらないやわらかい布ひもを、耳にかけまわし  あごで締めてマジックテープ（登録商標）で止められる長さにして縫い付けたもの。
装着は、まず  あごの幅の伸縮性にとんだ長いマスク状の部分で、あごからほっぺの下あご部分へそして顔の耳の上の位置まで覆い、続いて  縫い付けた２センチ幅の布ひもを耳にかけぐっと引っ張り、それを耳の後から下あごにまわし、締め付け度を加減してマジックテープ（登録商標）で止める。これは、あごをリフトアップし、絞り・締め付けることで、二重あごの解消と予防になる。
また、あごの幅の伸縮性にとんだ長いマスク状の布で、あごから顔の耳の上の位置まで覆い、続いて、縫い付けた２センチ幅の布ひもを耳にかけ、それを唇の下で、締め付け度を加減して止めると、二重あごとともに、耳下のあごの付け根ほっぺの下あご部分（よく脂肪が付きリンパ液が滞るところ）を絞り、締め付けができるので、余分な脂肪やリンパ液を締め出し、小顔を形成することができる。
また、このあごを覆う布を、レース状で伸縮性があるおしゃれなものにし、耳にかける布ひもを、おしゃれなリボンにして、下あごで結ぶようにすると、あごのリフトアップと同時に小顔に見せる、おしゃれなアイテムになる。
【手続補正２】
【補正対象書類名】明細書
【補正対象項目名】全文
【補正方法】追加
【補正の内容】
【考案の詳細な説明】
【技術分野】
【０００１】重力に従って落ちてくる顔の肉は、あごを二重にする。肥満が原因のこともあるが、リンパ液の滞りが原因のこともある。そこで、あごの二重になった部分をリフトアップすることで解決し、また、締め付けることで、余分な脂肪・リンパ液を締め出すことができる。
その形が、二重あご防止マスク・小顔形成マスクである。これは、家でテレビを見る時とか就寝中に充分な時間装着することで、その効果があらわれてくる。また、家事をしている時とか、ちょっと空いた時間に、気軽にマスクを付けるように  装着できるよう  作りを簡単なものにした。
【背景技術】
【０００２】あごのリフトアップ  となると、複雑な構造の機械とか重装備を連想するが、整形外科の首をリフトアップするような大掛かりにしなくても、布一枚でかなり効果が期待できる。布の伸縮力を利用すれば、機械はいらない。
【考案の開示】
【考案が解決しようとする課題】
【０００３】本考案は、女性の敵である二重あごと顔のむくみ（ほっぺの下部分のふくらみ）をなんとしても解決したくて考案した。原因は肥満もあるが、リンパ液の滞りもある。その他筋肉の衰え緩みもあるだろうが、女性はいつまでも小顔でいたいものだ。そこで緩んで二重になったあごの部分をしっかりとリフトアップする。ふくらんだほっぺの下あご部分を、しっかり絞り、引き締める。それが本考案の  二重あご防止マスク・小顔形成マスクだ。
また、別部門だが、筋肉の衰えにより、就寝中  あごが緩んで口が開いてしまうという事態になった人もいる。口が開いていると口中が渇き、細菌が浸入しやすくなる。そのような人の就寝中のあごの緩みも解決できる。二重あご・あごの緩みは、男性女性ともにある。
【課題を解決するための手段】
【０００４】機械を使わずあごをリフトアップするには、何かを代用するしかない。そこで、あごをリフトアップするには、耳を使って、滑車の作用を応用すると可能になる。つまり、あごからほっぺの下あご部分そして耳の上の位置まで  ５〜６センチ幅の伸縮性にとんだ布で覆い、それに  ２センチ幅の布ひもを縫い付け、そのひもを耳の後にまわし、ぐっと引っ張るとあごがリフトアップできる。そしてその布ひもを下あごまでまわし、マジックテープ（登録商標）で止め固定すると、リフトアップが完成する。
【考案の効果】
【０００５】あごからほっぺの下あご部分そして耳の上の位置まで  ５〜６センチ幅の伸縮性にとんだ布で覆い、それに、２センチ幅の布ひもを縫い付け、その布ひもを耳の後にまわし、ぐっと引っ張り、その布ひもを下あごで止め固定し、あごをリフトアップすることにより、あごに滞っているリンパ液を絞り、二重あごの解消になる。家事をしている時に装着してもよいが、就寝中に装着するとより効果が増す。二重あごの多くが就寝中に作られるからだ。
また耳にまわした布ひもを唇の下にまわし、マジックテープ（登録商標）で止め固定すると、ほっぺの下あごの部分（よく脂肪が付きリンパ液が滞るところ）を絞り・締め付けるので、余分な脂肪・リンパ液を締め出し、小顔が形成される。
また別部門で、筋肉の衰えから就寝中  口が開いてしまう人も、これを装着することで、口が開くのを予防できる。口が開いていると、口中の渇き・細菌の浸入・いびき等を引き起こすが、就寝中あごをリフトアップすることで口が開かなくなる。
【考案を実施するための最良の形態】
【０００６】あごからほっぺの下あご部分そして耳の上の位置まで覆う布は、あごの幅  ５〜６センチの幅にして、伸縮性にとみ、レース模様でおしゃれであればなおよく、家事の最中装着していても家族に奇異に思われない。また、それに縫い付けるひもの  ２センチ幅は、唇の下でひもを固定できる幅だ。耳にかけ耳の後にまわしても、かさばらないで違和感のないような布が望ましい。このひもの伸縮性は必要ないが、あごにまわした時・唇の下で止める時、はずれないように、マジックテープ（登録商標）は長めにしておくとよい。
【実施例】
【０００７】近年肥満になり、二重あごに悩んでいたが、あごをリフトアップすることで、体重は変わらないが、あごのたるみが解消した。あごと首の区別がつかないくらいだったが、横向きになって鏡を見ると、あごと首の区別が付き、あご先が確認できるようになった。
【図面の簡単な説明】
【０００８】
【図１】二重あご防止・小顔形成マスク  の図  装着方法  １  は、ひもを  あ  ご  で固定した  正面図・側面図  装着方法  ２  は、ひもを  唇の下  で固定した  正面図・側面図
【図面の符号の説明】
【０００９】  ａ    布ひもの先に付ける固定するためのマジックテープ（登録商標）
【手続補正書】
【提出日】平成21年8月20日(2009.8.20)
【手続補正１】
【補正対象書類名】明細書
【補正対象項目名】全文
【補正方法】変更
【補正の内容】
【考案の詳細な説明】
【技術分野】
【０００１】二重あごは余分な脂肪・リンパ液の滞りによることが多いので、あごを締め付けその脂肪・リンパ液をあごから下へ締め出すことで解消する。締め付け方法はあご・エラ部分にマスクを当て、それにひもをつけ滑車の応用で耳に掛け引っ張ることにより、あごをリフトアップし締め付けることができるので解消する。
【背景技術】
【０００２】あご・エラ部分に当てるマスクを伸縮性のある布にすると、縮む力によりあごを引き締めるので効果が望める。
【考案の開示】
【考案が解決しようとする課題】
【０００３】あごとエラ部分につく余分な脂肪・リンパ液の滞りによる膨らみを解消し、小顔を形成し二重あごを解消する。また就寝中自然に口が開いてしまうのを防止する。
【課題を解決するための手段】
【０００４】あごとエラに伸縮性のあるマスク状の布を当て、それにひもを縫い付けて引っ張るとあごとエラ部分が引き締められる。
【考案の効果】
【０００５】伸縮性のあるマスク状の布をあご・エラに当てそれにひもを縫付け引っ張ることによりあご・エラ部分に付いている余分な脂肪・滞ったリンパ液をあごから下へ絞り出すことができ、ひもの両端を下あごで締めることにより長時間装着できるので脂肪等の復元が避けられ、継続して装着することにより小顔が形成されていく。装着は就寝中だけでなく家事等生活活動中でも可能なので、気軽に美顔・小顔対策ができ、より一層効果がのぞめる。
【考案を実施するための最良の形態】
【０００６】あご・エラに当てるマスクは伸縮性のあるものを使用し、それを引っ張るひもは伸縮性のないものにすることにより、あごのマスクの引き締め縮み力が増す。
【実施例】
【０００７】就寝中装着することにより弛んでいたあごがスッキリとしてきたことと、自然に口が開いていたがその形跡がなくなった。
【図面の簡単な説明】
【０００８】
【図１】小顔形成・二重あご防止マスク  の図  装着方法  １  は、ひもをあごで固定した  正面図・側面図  装着方法  ２  は、ひもを唇の下で固定した  正面図・側面図
【図面の符号の説明】
【０００９】ａ    布ひもの先に付ける固定するための面ファスナー
【手続補正書】
【提出日】平成21年8月20日(2009.8.20)
【手続補正１】
【補正対象書類名】実用新案登録請求の範囲
【補正対象項目名】全文
【補正方法】変更
【補正の内容】
【実用新案登録請求の範囲】
【請求項１】
二重あごを防止・解消するためのマスクであって、長いマスク状の伸縮性にとんだ、あごの幅に対応する５〜６センチ幅で、あごから頬の下エラ部分そして頬の耳の上位置まで覆う長さのマスク状の布の両端に、２センチ幅の耳に掛けてもかさばらないやわらかい布ひもを耳に掛け回し引っ張って、その両方の端をあごで重ね面ファスナーで止められる長さにして縫い付けたことを特長とするマスク。